(57)【要約】【課題】簡単な構造で、ゲーム機の扉の解錠時に自動的に扉を開放側に押して開放することができるゲーム機の施錠装置を提供する。【解決手段】支持板３にガラス枠施錠用のガラス枠鉤部材１１，１２が傾動可能に枢支され、ガラス枠鉤部材１１，１２には施錠方向に付勢するコイルばねが取り付けられる。前面枠鉤部材４，５とガラス枠鉤部材１１，１２を解錠方向にのみ動かすための前面枠兼ガラス枠解錠用作動杆６が支持板に沿って摺動可能に配設される。前面枠兼ガラス枠解錠用作動杆６の一部にカム板が係合可能な係合孔が設けられ、ガラス枠の解錠時、前面枠兼ガラス枠解錠用作動杆６の移動に伴い、ガラス枠側の係止片を押してガラス枠を開放させる押し開き部６６６，６６７が前面枠兼ガラス枠解錠用作動杆６の一部に設けられる。【選択図】図３
2004232346.tif 000002
【特許請求の範囲】
【請求項１】
取付板と支持板を有する縦長の基枠体と、該基枠体の取付板に固定され、該基枠体内に位置する錠軸にカム板を取り付けてなるシリンダ錠と、本体枠側に固定された受け金具に係止されて前面枠を施錠する前面枠鉤部材を有し、該シリンダ錠による該カム板の一方向への回動に係合して該前面枠鉤部材を解錠方向に動かす前面枠施錠機構と、ガラス枠側の係止片に係止されて該ガラス枠を施錠するガラス枠鉤部材を有し、該シリンダ錠による該カム板の他方向への回動に係合して該ガラス枠鉤部材を解錠方向に動かすガラス枠施錠機構と、を備え、該前面枠の内側に縦に取り付けられ、該本体枠に対し該前面枠を施錠し、該前面枠に対し該ガラス枠を施錠するゲーム機の施錠装置において、
前記基枠体の支持板に前面枠施錠用の前面枠鉤部材が傾動可能に枢支され、該前面枠鉤部材には施錠方向に付勢するコイルばねが掛止され、該支持板にガラス枠施錠用のガラス枠鉤部材が傾動可能に枢支され、該ガラス枠鉤部材には施錠方向に付勢するコイルばねが取り付けられ、該前面枠鉤部材とガラス枠鉤部材を解錠方向にのみ動かすための前面枠兼ガラス枠解錠用作動杆が該支持板に沿って摺動可能に配設され、該前面枠兼ガラス枠解錠用作動杆の一部に前記カム板が係合可能な係合孔が設けられ、該ガラス枠の解錠時、該前面枠兼ガラス枠解錠用作動杆の移動に伴い、該ガラス枠側の係止片を押して該ガラス枠を開放させる押し開き部が該前面枠兼ガラス枠解錠用作動杆の一部に設けられたことを特徴とするゲーム機の施錠装置。
【請求項２】
前記前面枠鉤部材と前記ガラス枠鉤部材が各々枢支ピンにより前記支持板の各々の箇所に枢支され、前記前面枠兼ガラス枠解錠用作動杆には枢支ピンに係合してガイドされるガイド孔が設けられ、該前面枠鉤部材と前記ガラス枠鉤部材には各々係合凸部が設けられ、該係合凸部に係合する係合部が該前面枠兼ガラス枠解錠用作動杆の各々の箇所に設けられ、前記押し開き部は、傾斜部を有し、該前面枠兼ガラス枠解錠用作動杆における該ガラス枠鉤部材の近傍位置に、該ガラス枠鉤部材と同一方向に突出して設けられたことを特徴とする請求項１記載のゲーム機の施錠装置。
【請求項３】
取付板と支持板を有する縦長の基枠体と、該基枠体の取付板に固定され、該基枠体内に位置する錠軸にカム板を取り付けてなるシリンダ錠と、本体枠側に固定された受け金具に係止されて前面枠を施錠する上下１対の前面枠鉤部材を有し、該シリンダ錠による該カム板の一方向への回動に係合して該前面枠鉤部材を解錠方向に動かす前面枠施錠機構と、ガラス枠側の係止片に係止されて該ガラス枠を施錠する上下１対のガラス枠鉤部材を有し、該シリンダ錠による該カム板の他方向への回動に係合して該ガラス枠鉤部材を解錠方向に動かすガラス枠施錠機構とを備え、該前面枠の内側に縦に取り付けられ、該本体枠に対し該前面枠を施錠し、該前面枠に対し該ガラス枠を施錠するゲーム機の施錠装置において、
前記基枠体の支持板に前面枠施錠用の前面枠鉤部材が傾動可能に枢支され、該支持板にガラス枠施錠用のガラス枠鉤部材が傾動可能に枢支され、該上下１対の前面枠鉤部材を連結する前面枠用連結杆と該上下１対のガラス枠鉤部材を連結するガラス枠用連結杆が該支持板に沿って摺動可能に配設され、該前面枠用連結杆と該ガラス枠用連結杆の一部に前記カム板が係合可能な係合孔が設けられ、該ガラス枠の解錠時、該ガラス枠用連結杆の移動に伴い、該ガラス枠側の係止片を押して該ガラス枠を開放させる押し開き部が該ガラス枠用連結杆の一部に設けられたことを特徴とするゲーム機の施錠装置。
【請求項４】
取付板と支持板を有する縦長の基枠体と、該基枠体の取付板に固定され、該基枠体内に位置する錠軸にカム板を取り付けてなるシリンダ錠と、該基枠体の支持板の上部と下部に傾動可能に枢支され、ゲーム機の本体側に固定された受け金具の係止片に係止されて前扉を施錠する上下の鉤部材と、該基枠体内に摺動可能に配設され、該カム板の係合部に係合可能で該上下の鉤部材を連結する連結杆とを備えたゲーム機の施錠装置において、
前扉の解錠時、該連結杆の移動に伴い、該本体側の受け金具の係止片を押して該前扉を開放させる押し開き部が該連結杆の一部に設けられたことを特徴とするゲーム機の施錠装置。
【請求項５】
前記押し開き部は、傾斜部を有し、前記連結杆における前記鉤部材の近傍位置に、該鉤部材と同一方向に突出して設けられたことを特徴とする請求項４記載のゲーム機の施錠装置。
【請求項６】
取付板と支持板を有する縦長の基枠体と、該基枠体の取付板に固定され、該基枠体内に位置する錠軸にカム板を取り付けてなるシリンダ錠と、該基枠体の支持板の上部と下部に傾動可能に枢支され、ゲーム機の本体側に固定された受け金具の係止片に係止されて前扉を施錠する上下１対の鉤部材と、該鉤部材に掛止され該鉤部材を施錠方向に付勢するコイルばねと、該基枠体内に摺動可能に配設され、該カム板の係合部に係合可能で該上下１対の鉤部材を解錠方向に傾動させる作動杆とを備えたゲーム機の施錠装置において、
前扉の解錠時、該作動杆の移動に伴い、該本体側の受け金具の係止片を押して該前扉を開放させる押し開き部が該作動杆の一部に設けられたことを特徴とするゲーム機の施錠装置。
【発明の詳細な説明】
【０００１】
【発明の属する技術分野】
本発明は、パチンコ機のガラス枠を前面枠に対し施錠する、或いはスロットマシンの前扉を本体に対し施錠するゲーム機の施錠装置に関し、特にガラス枠或いは前扉を、解錠時に自動的に押し開くようにしたゲーム機の施錠装置に関する。
【０００２】
【従来の技術】
例えば、パチンコ機の前面枠内には、一般に金枠が取付けられ、その金枠の上部に盤面を覆うガラス枠が開閉可能に取付けられているが、この種のパチンコ機の前面枠用の施錠装置には、ガラス枠を施錠するガラス枠用施錠具は設けられてなく、単にガラス枠用施錠具を解錠するための作動片付き作動杆が、施錠装置の基枠体内に設けられ、シリンダ錠によるカム板の回動によりその作動杆を摺動させる機構が設けられるのみである。
【０００３】
このため、ガラス枠用施錠具を別個に前面枠の内側に取り付ける必要があり、その際の取付作業に多くの工数がかかると共に、施錠装置側の作動片をガラス枠用施錠具側の受け具にあわせるよう、位置調整を行なう必要があり、取付時の調整作業にも多くの作業工数がかかる問題があった。
【０００４】
そこで、パチンコ機の施錠装置として、１つの基枠体内に前面枠用の施錠装置とガラス枠用の施錠装置を組み込んだ施錠装置が開発され、使用されている（例えば、下記特許文献１等参照）。
【０００５】
【特許文献１】
特開平７−２０４３３７号公報
【０００６】
この施錠装置は、支持板の外側の上部と下部に、ガラス枠施錠用の鉤部材を傾動可能に枢支し、両鉤部材をガラス枠施錠用の連結杆により連結すると共に、シリンダ錠の錠軸に固定したカム板の係合部の一方をそのガラス枠施錠用連結杆に係合させ、カム板の他方の係合部を前面枠施錠用の連結杆に係合させる構造である。
【０００７】
【発明が解決しようとする課題】
しかし、従来のこの種の施錠装置は、ガラス枠を解錠するためにシリンダ錠の錠軸を鍵で回動操作すると、カム板を介してガラス枠施錠用の連結杆が摺動され、ガラス枠施錠用の鉤部材が傾動して、鉤部材とガラス枠側の係止部との係合が解除され、ガラス枠が解錠するが、ガラス枠側の係止部との係止を解除しただけでは、ガラス枠は開放動作を行わない。このため、シリンダ錠の鍵を回した状態で鍵から手を離すと、ガラス枠施錠用の鉤部材が元の施錠位置に戻るため、ガラス枠が開かずに、再び施錠状態に戻ってしまう不具合があった。これは、施錠装置がガラス枠ではなく前面枠に取り付けられており、鍵を把持してガラス枠を引いて開くことができず、また、ガラス枠に把持部はないため、解錠されたガラス枠を手で持って開く操作もできないためである。
【０００８】
このために、従来では、ガラス枠と前面枠との間にばねで作動する押しピンなどの開放付勢機構を設け、ガラス枠をその開放付勢機構により常時開放側に付勢するようにし、ガラス枠が解錠された際にはガラス枠を開くように付勢して自動的にガラス枠を開放するようにしているが、その開放付勢機構のために、ガラス枠を閉鎖する際には、その付勢機構の付勢力に抗して閉鎖する必要があり、またこの開放側付勢機構は構造が複雑で部品点数が多くなるなどの問題があった。
【０００９】
本発明は、上記の課題を解決するためになされたもので、簡単な構造で、ゲーム機の扉の解錠時に自動的に扉を開放側に押して開放することができるゲーム機の施錠装置を提供することを目的とする。
【００１０】
【課題を解決するための手段】
上記の目的を達成するために、本発明のゲーム施錠装置は、取付板と支持板を有する縦長の基枠体と、該基枠体の取付板に固定され、該基枠体内に位置する錠軸にカム板を取り付けてなるシリンダ錠と、本体枠側に固定された受け金具に係止されて前面枠を施錠する前面枠鉤部材を有し、該シリンダ錠による該カム板の一方向への回動に係合して該前面枠鉤部材を解錠方向に動かす前面枠施錠機構と、ガラス枠側の係止片に係止されて該ガラス枠を施錠するガラス枠鉤部材を有し、該シリンダ錠による該カム板の他方向への回動に係合して該ガラス枠鉤部材を解錠方向に動かすガラス枠施錠機構と、を備え、該前面枠の内側に縦に取り付けられ、該本体枠に対し該前面枠を施錠し、該前面枠に対し該ガラス枠を施錠するゲーム機の施錠装置において、
前記基枠体の支持板に前面枠施錠用の前面枠鉤部材が傾動可能に枢支され、該前面枠鉤部材には施錠方向に付勢するコイルばねが掛止され、該支持板にガラス枠施錠用のガラス枠鉤部材が傾動可能に枢支され、該ガラス枠鉤部材には施錠方向に付勢するコイルばねが取り付けられ、該前面枠鉤部材とガラス枠鉤部材を解錠方向にのみ動かすための前面枠兼ガラス枠解錠用作動杆が該支持板に沿って摺動可能に配設され、該前面枠兼ガラス枠解錠用作動杆の一部に前記カム板が係合可能な係合孔が設けられ、該ガラス枠の解錠時、該前面枠兼ガラス枠解錠用作動杆の移動に伴い、該ガラス枠側の係止片を押して該ガラス枠を開放させる押し開き部が該前面枠兼ガラス枠解錠用作動杆の一部に設けられたことを特徴とする。
【００１１】
ここで、上記施錠装置においては、請求項２のように、上記前面枠鉤部材と前記ガラス枠鉤部材が各々枢支ピンにより前記支持板の各々の箇所に枢支され、前記前面枠兼ガラス枠解錠用作動杆には枢支ピンに係合してガイドされるガイド孔が設けられ、該前面枠鉤部材と前記ガラス枠鉤部材には各々係合凸部が設けられ、該係合凸部に係合する係合部が該前面枠兼ガラス枠解錠用作動杆の各々の箇所に設けられ、前記押し開き部は、傾斜部を有し、該前面枠兼ガラス枠解錠用作動杆における該ガラス枠鉤部材の近傍位置に、該ガラス枠鉤部材と同一方向に突出して設けることができる。
【００１２】
【作用】
このような構成のパチンコ機の施錠装置では、前面枠を本体枠に対し閉じると、前面枠鉤部材が本体枠側の受け金具に当り傾動（回動）して係止され、施錠状態となる。それを解錠する場合は、キーによってシリンダ錠を回し、カム板を回転させると、カム板が前面枠兼ガラス枠解錠用作動杆を前面枠の施錠方向に摺動させる。このとき、前面枠兼ガラス枠解錠用作動杆が係合部と係合凸部を介して前面枠鉤部材を解錠方向に傾動（回動）させる。これにより、本体枠の受け金具と前面枠鉤部材との係合が外れ、前面枠は解錠される。
【００１３】
一方、ガラス枠を閉じると、ガラス枠内の係止片が基枠体の取付板から突出したガラス枠鉤部材に当り、ガラス枠鉤部材が傾動して、ガラス枠鉤部材に係止片が係止され、ガラス枠は施錠状態となる。ガラス枠を解錠する場合は、シリンダ錠のキーを逆方向に回して、カム板を同方向に回動させ、カム板が前面枠兼ガラス枠解錠用作動杆を前面枠の解錠時とは反対方向に摺動させる。これにより、前面枠兼ガラス枠解錠用作動杆が係合部と係合凸部を介してガラス枠鉤部材を解錠方向に傾動させる。このガラス枠鉤部材の傾動によって、ガラス枠の係止片と鉤部材の係合が外れ、ガラス枠は解錠される。
【００１４】
このガラス枠の解錠時、前面枠兼ガラス枠解錠用作動杆の移動に伴い、押し開き部の傾斜部がガラス枠側の係止片を押して、ガラス枠を開放させるように動作し、ガラス枠は前面枠内から開かれる。したがって、その後、回していたシリンダ錠のキーの回動力を緩めても、ガラス枠が既に開いているから、ガラス枠鉤部材が再び施錠状態となることはなく、手で把持する部分がないガラス枠であっても、少し開いたガラス枠を手で持って容易に開くことができる。また、この前面枠兼ガラス枠解錠用作動杆に設けた押し開き部は、傾斜部を有するだけの簡単な構造で構成することができる。
【００１５】
【発明の実施の形態】
以下、本発明の実施例を図面に基づいて説明する。図１は施錠装置の正面図を、図２はその左側面図を、図３はその右側面図を、図４はその背面図を各々示し、図６はその分解図を示している。
【００１６】
１は取付板２と支持板３を略直角に曲折して一体成形してなる縦長の基枠体で、基枠体１の支持板３の上部と下部に、前面枠鉤部材用の枢支部３ａ、３ｂがその部分のみを内側に入れるように分離して形成される。取付板２には複数の取付孔が穿設される。また、図１に示す如く、基枠体１の角部の上部と中間部の左側に、後述のガラス枠鉤部材１１、１２を前方に突出させるための開口部１ａ，１ｂが形成される。
【００１７】
枢支部３ａ，３ｂには、各々前面枠鉤部材４，５が基枠体１の背面側を向けて、且つ下方に傾動（回動）可能に、枢支ピン４ａ，５ａにより枢支される。前面枠鉤部材４，５は三角形頭部を有しその中間部に係合凹部を有して、フック状に形成されている。さらに、前面枠鉤部材４，５の元部には、解錠時に後述の前面枠兼ガラス枠解錠用作動杆６の係合部６４，６５が係合して解錠方向に押すための係合凸部４ｂ，５ｂが各々突設され、また、この係合凸部４ｂ，５ｂには、コイルばね９ａ，９ｂが施錠方向に付勢するように掛止される。
【００１８】
この前面枠鉤部材４，５は、前面枠２１を本体枠２０に対し施錠するためのものであるが、施錠する際には、各前面枠鉤部材４，５が独立してコイルばね９ａ，９ｂの付勢力に抗して傾動するのみであるから、前面枠２１を閉じた際、非常に小さい力で軽く鉤部材を傾動させて施錠することができる。また、各前面枠鉤部材４，５が独立して傾動するから、針金などを前面枠２１の隙間に差し込んで行なわれる不正解錠に対しては、何れか一方の鉤部材４，５を針金などで引っ掛けて、解錠方向に傾動させても、他方の鉤部材は解錠方向に動くことはないため、この種の不正解錠を防止することができる。
【００１９】
図６に示すように、前面枠兼ガラス枠解錠用作動杆６の上部と下部には、ガイド孔６０、６１が形成される。それらのガイド孔６０、６１には、ガイドピン６２，６３が挿通され、基枠体１の支持板に固定され、前面枠兼ガラス枠解錠用作動杆６は、このガイドピン６２，６３とガイド孔６０、６１により、基枠体１の内側で支持板３に沿って摺動可能に支持される。また、この前面枠兼ガラス枠解錠用作動杆６の上部寄りには後述のシリンダ錠７のカム板８が係合するための係合孔６８，６９が形成される。
【００２０】
さらに、この前面枠兼ガラス枠解錠用作動杆６には後述のガラス枠鉤部材１１，１２の係合凸部１１ｂ，１２ｂと係合する係合部６６，６７がその上部と中間部に設けられ、この作動杆６によってこの係合凸部１１ｂ、１２ｂが下方に押されることにより、このガラス枠鉤部材１１，１２は解錠方向（上側）に傾動（回動）する。また、ガラス枠鉤部材１２の中間部と前パネル用作動杆１７との間にコイルばね１５ｂが掛止される。
【００２１】
取付板２の上部寄りに、シリンダ錠７がその錠軸を孔から基枠体１の内側に挿入するように、ねじ又はかしめで固定される。シリンダ錠７の錠軸には第一係合部８ａと第二係合部８ｂを持つカム板８が固定される。図４の反時計方向にカム板８を回動させた場合、カム板の第一係合部８ａは前面枠兼ガラス枠解錠用作動杆６の係合孔６８に係合し、前面枠兼ガラス枠解錠用作動杆６を上方に摺動させ、前面枠鉤部材４，５の末部の係合凸部４ｂ、５ｂを上方に押して前面枠鉤部材４，５を下方に傾動させる。前面枠鉤部材５と基枠体１間に掛けられたコイルばね９ｂは、前面枠鉤部材５が解錠側に傾動したとき、それを復帰させる方向に付勢する。
【００２２】
さらに、図１のように、基枠体１の上部と中間部の角部に設けられた開口部１ａ，１ｂから前方に突き出すように、ガラス枠を施錠するガラス枠鉤部材１１，１２が配置され、ガラス枠鉤部材１１，１２は、基枠体１内の支持板３の上部と中間部に、枢支ピン１１ａ，１２ａによって枢支されて傾動可能に取り付けられる。このガラス枠鉤部材１１，１２は、下向きの係合凹部を持ったフック状に形成され、図６に示すように、元部に係合凸部１１ｂ、１２ｂが設けられる。上記前面枠兼ガラス枠解錠用作動杆６の係合部６６，６７によってこの係合凸部１１ｂ、１２ｂが下方に押されることにより、このガラス枠鉤部材１１，１２は解錠方向（上側）に傾動（回動）する。また、上部のガラス枠鉤部材１１には、コイルばね１５ａが掛止され、このコイルばね１５ａにより鉤部材１１は下側施錠方向に付勢される。下側のガラス枠鉤部材１２には、コイルばね１５ｂが掛止され、このコイルばね１５ｂにより鉤部材１２下側施錠方向に付勢される。
【００２３】
上下のガラス枠鉤部材１１，１２は、独立して傾動可能であり、ガラス枠が閉じられてそこに設けた係止片２６，２７が当たったとき、前面枠兼ガラス枠解錠用作動杆６の移動を伴わずに、図７のように、下方に傾動して係止片２６，２７に係止される。
【００２４】
このガラス枠鉤部材１１，１２においても、上記と同様に、各鉤部材１１，１２が独立してコイルばね１５ａ，１５ｂの付勢力に抗して傾動するのみであるから、ガラス枠を閉じた際、非常に小さい力で鉤部材１１，１２を傾動させて施錠することができる。また、各ガラス枠鉤部材１１，１２が独立して傾動するから、針金などをガラス枠の隙間に差し込んで行なわれる不正解錠に対しては、何れか一方の鉤部材を針金などで引っ掛けて、解錠方向に傾動させても、他方の鉤部材は解錠方向に動くことはないため、不正解錠を防止することができる。
【００２５】
さらに、図３、図６、図７に示すように、上記前面枠兼ガラス枠解錠用作動杆６の係合部６６，６７の近傍に、つまりガラス枠鉤部材１１，１２の近傍に位置するように、各々押し開き部６６６，６６７がガラス枠鉤部材１１，１２が突出する方向と同じ方向に突設される。この押し開き部６６６，６６７は、各々傾斜部６６８，６６９を有し、前面枠兼ガラス枠解錠用作動杆６が下方（ガラス枠の解錠方向）に摺動したとき、後述のガラス枠側の係止片に傾斜部６６８，６６９を当て、ガラス枠２２を押し開くように動作する。
【００２６】
さらに、基枠体１の下部には、図６に示すように、後述の前パネル２８を施錠するための前パネル施錠機構が設けられる。前パネル施錠機構は、前パネル用作動杆１７とその上下動をガイドするガイドピン１７ｄ，１７ｅから構成され、基枠体１の支持板３の外側にガイドピン１７ｄ，１７ｅによって上下摺動可能に配設される。
【００２７】
図６に示すように、前パネル用作動杆１７にはその上部と下部に、前パネル用鉤部１８，１９が前方に突き出すように一体形成され、その前パネル用鉤部１８，１９は、先端部がフック状に形成され、基枠体１の取付板２から前方に突出して配設される。前パネル用作動杆１７には、２個のガイド孔１７ｂ，１７ｃが形成され、このガイド孔１７ｂ，１７ｃに、基枠体１の支持板２に取り付けたガイドピン１７ｄ，１７ｅが挿通され、ガイドピン１７ｄ，１７ｅとガイド孔１７ｂ、１７ｃを介して、支持板２の外側を所定の範囲で上下摺動可能に支持される。
【００２８】
前パネル用作動杆１７には、正面側の上部に操作部１７ａが設けられ、ガラス枠を開いた際、この操作部１７ａが正面側に現れるようにしている。また、作動杆１７の中間部には、検出部１７ｆが突設され、図示しない検出器（近接スイッチなど）を対向して配設することにより、前パネルの開放動作を電気的に検出する。さらに、この前パネル用作動杆１７には上記コイルばね１５ｂがガラス枠鉤部材１２との間に掛止され、施錠側に付勢される。例えば、操作部１７ａを押し下げて、その付勢力に抗して前パネル用作動杆１７を下方に摺動させると、前パネル用鉤部１８，１９が下側の解錠方向に摺動する。
【００２９】
このように構成されたパチンコ機の施錠装置は、図７、図８に示す如く、パチンコ機の本体枠２０に開閉可能に装着された前面枠２１の内側における矩形開口部の縁部に、シリンダ錠７の先端を前面に露出させ、前面枠鉤部材４，５を本体枠側に向けた姿勢で、取付板２を用いて縦に取付けられる。
【００３０】
一方、本体枠２０の内側の前面枠鉤部材４，５に対応した上下位置には、受け金具２４、２５が固定される。さらに、ガラス枠２２が、前面枠２１の開口部に内に取付けられた金枠内にヒンジを開閉可能に取付けられ、そのガラス枠２２の自由端部内側に、ガラス枠鉤部材１１，１２が係止可能な係止片２６、２７が設けられる。また、上皿などを設けた前パネル２８は、前面枠２１内の金枠の下部にヒンジを介して開閉可能取り付けられ、前パネル２８の自由端部内側に、前パネル用鉤部材１８，１９が係止可能な係止片２９，３０が設けられる。
【００３１】
パチンコ機における前面枠２１を本体枠２０に対し閉じると、図７に示すように、施錠装置の上下の前面枠鉤部材４，５が本体枠２０側の受け金具２４、２５に当って下方に傾動し、コイルばね９ａ，９ｂの付勢力により戻って係止され、施錠状態となる。このとき、前面枠鉤部材４，５は、各々が独立して傾動可能に枢支され、コイルばね９ａ，９ｂの付勢力に抗して傾動するのみであるから、前面枠２１を閉じた際、非常に小さい力で軽く前面枠鉤部材４，５を傾動させて施錠することができる。一方、施錠した状態では、各前面枠鉤部材４，５は独立して傾動するから、針金などを前面枠２１の隙間に差し込んで行なわれる不正解錠に対しては、何れか一方の鉤部材を針金などで引っ掛けて、解錠方向に傾動させても、他方の鉤部材は解錠方向に動くことはないため、この種の不正解錠を防止することができる。
【００３２】
前面枠２１を解錠する場合は、キーによってシリンダ錠７を回し、カム板８を図４の反時計方向に回転させると、カム板８の第一係合部８ａが前面枠兼ガラス枠解錠用作動杆６の係合孔６９と係合してこれを上方へ摺動させる。このとき、図７のように、前面枠兼ガラス枠解錠用作動杆６の係合部６４，６５が前面枠鉤部材４，５の末端の係合凸部４ｂ、５ｂに係合して、前面枠鉤部材４，５を下方に傾動させる。この前面枠鉤部材４，５の傾動によって、本体枠の受け金具２４、２５との係合が外れ、前面枠２１は開放可能な状態となる。
【００３３】
一方、ガラス枠２２を前面枠２１の金枠内に閉じると、ガラス枠２２内の係止片２６、２７がガラス枠鉤部材１１，１２に当り、これを上方に傾動させながら閉じられ、コイルばね１５ａ，１５ｂの付勢力によりガラス枠鉤部材１１，１２が水平位置に戻る。これにより、ガラス枠鉤部材１１，１２に係止片２６、２７が係止され、ガラス枠２２は施錠状態となる。この場合も、ガラス枠鉤部材１１，１２は、各々が独立してコイルばね１５ａ，１５ｂの付勢力に抗して傾動するのみであるから、ガラス枠２２を閉じた際、非常に小さい力で軽くガラス枠鉤部材１１，１２を傾動させて施錠することができる。また、針金などによる不正解錠も防止することができる。
【００３４】
ガラス枠２２を解錠する場合は、図８に示すように、シリンダ錠７に差し込んだキーを左方向に回して、カム板８を図４時計方向へ回動させると、カム板８の第二係合部８ｂが前面枠兼ガラス枠解錠用作動杆６の係合孔６８と係合してこれを下方へ摺動させ、前面枠兼ガラス枠解錠用作動杆６の係合部６６，６７が鉤部材１１，１２の係合凸部１１ｂ、１２ｂに係合して、ガラス枠鉤部材１１，１２を上方へ傾動させる。この動作によって、ガラス枠２２の係止片２６、２７とガラス枠鉤部材１１，１２との係合が外れ、ガラス枠２２は開放される。
【００３５】
このガラス枠２２の解錠時、前面枠兼ガラス枠解錠用作動杆６の下移動に伴い、図９に示すように、上部と下部の押し開き部６６６，６６７の傾斜部６６８，６６９が各々ガラス枠側の上部と下部の係止片２６，２７を押して、ガラス枠２２を開放させるように動作し、ガラス枠２２は前面枠２１内から開かれる。したがって、その後、回していたシリンダ錠７のキーの回動力を緩めても、ガラス枠２２が既に開いているから、ガラス枠鉤部材１１，１２が再び施錠状態となることはなく、手で把持する部分がないガラス枠２２であっても、少し開いたガラス枠２２を手で持って容易に開くことができる。
【００３６】
上皿等を前面に取付けた前パネル２８を開く場合、ガラス枠２２を開いた状態で、その開口部から内側に手を入れ、前パネル用作動杆１７の操作部１７ａを持って押し下げる。これによって、前パネル用作動杆１７が下降し、それと一体の前パネル用鉤部材１８，１９が下方に摺動する。これにより、前パネル用鉤部材１８，１９と前パネル側の係止片２９、３０との係合が外れ、前パネル２８が解錠され、開かれる。
【００３７】
前パネル２８を閉じる場合は、前パネル２８を前面枠２１内に閉じるように押し込む。このとき、その係止片２９、３０が前パネル用鉤部材１８，１９の傾斜頭部に当たって、前パネル用鉤部材１８，１９を摺動させ、コイルばね１４の付勢力により元の位置に戻り、前パネル用鉤部材１８，１９に係止片２９、３０が係止され、前パネル２８は、施錠状態となる。
【００３８】
なお、上記実施形態では、上下１対の前面枠鉤部材４，５とガラス枠鉤部材１１，１２が各々単独で傾動可能な構造であったため、前面枠兼ガラス枠解錠用作動杆６を使用したが、上下の前面枠鉤部材とガラス枠鉤部材が各々連結杆に連結されて連結杆の移動と共に傾動する構造の場合、その作動杆６に代えて前面枠用連結杆とガラス枠用連結杆を使用することができる。この場合、上下１対の前面枠鉤部材４，５を前面枠用連結杆により連結すると共に、カム板８に係合可能とし、さらに、上下のガラス枠鉤部材１１，１２をガラス枠用連結杆により連結すると共に、カム板８に係合可能とし、そのガラス枠用連結杆に、解錠時にガラス枠側の係止片を押して、ガラス枠を開放させる押し開き部が設けられる。
【００３９】
図１０〜図１４は、本発明をスロットマシンなどのゲーム機の施錠装置に適用した例を示している。この施錠装置は、取付板４２と支持板４３を横断面Ｌ形に成形した縦長の基枠体４１を有し、その支持板４３の上部と下部に、フック状の鉤部材４５、４６がその中間部を枢支ピン４７、４８を介して傾動可能に枢支され、両鉤部材４５、４６の末端が、基枠体４１内に摺動可能に配設した連結杆４４により、連結ピン４９，５０を介して連結される。
【００４０】
連結杆４４には、図１３に示すように、その上部と下部の上記鉤部材４５，４６に対応した位置に、押し開き部４４４，４４５がその鉤部材４５，４６と同じ方向に突出して設けられる。各押し開き部４４４，４４５は三角形の先端部を有し、そこに傾斜部４４６，４４７が形成され、解錠時に、この傾斜部４４６，４４７が後述の受け金具７７の係止片７８を押して、前扉７６を押し開くように作用する。また、連結杆４４の中間部には、後述のカム板５９の第一係合部５９ａが係合可能な係合孔４４３が形成され、さらのその下側にガイド孔４４２が形成される。
【００４１】
基枠体４１の取付板４２の中央下寄りに幅広部が設けられ、そこにシリンダ錠５８が前面に突き出す形態で取り付けられる。シリンダ錠５８は、長尺に形成されて、末端にフランジ部を有し、取付板２に穿設された孔に内側から挿入され、フランジ部を取付板２の内側にねじで固定し、取り付けられる。シリンダ錠５８の錠軸の末端はフランジ部を通して内側に突出し、その先端にカム板５９が固定される。カム板５９には第一係合部５９ａと第二係合部５９ｂが設けられ、カム板５９が図１１の反時計方向に回動した時、第一係合部５９ａは、上記連結杆３４に設けた係合孔４４３に係合可能であり、カム板５９が図１１の時計方向に下移動した時、第二係合部５９ｂは、後述のスイッチ作動杆５５と係合可能である。
【００４２】
スイッチ作動杆５５が、基枠体４１の下部のおける支持板４３と連結杆４４との間に摺動可能に配設される。スイッチ作動杆５５には左側面に突き出した作動片５６が設けられ、この作動片５６が基枠体にブラケット７２を介して取り付けられた非接触スイッチ７０を、スイッチ作動杆５５の移動に伴い動作させる。スイッチ作動杆５５は、摺動方向に沿ってガイド孔を有し、そのガイド孔に、ガイドピン５１を挿通させ所定の範囲で摺動可能に支持される。
【００４３】
このスイッチ作動杆５５と基枠体４１との間にコイルばね５３が掛け渡され、また、連結杆４４と基枠体との間にコイルばね５２が掛け渡され、連結杆４４を鉤部材４５、４６の施錠方向に、スイッチ作動杆５５を非作動方向に付勢している。また、支持板４３の下端部には、閉じる際に前扉を支持するための支持ローラ７１が回転自在に軸支され、閉鎖時に受け金具側のローラ受けに乗り前面枠を支持する。
【００４４】
上記構成の施錠装置は、図１４のように、ゲーム機の本体（キャビネット）７５の前面にヒンジを介して開閉自在に取り付けられた前扉７６の内側に、その取付板４２を介して縦に固定され、本体７５の内側縁部には、施錠装置との対向位置に、受け金具７７が縦に固定される。受け金具７７は、縦長の帯状金属板からなる帯本体の上部と下部に、係止片７８をＬ形に曲げて形成され、さらに、その下端部には前縁部を下方に曲げた板状のローラ受けが帯状金属の端部を略水平に曲げた形態で設けられる。閉鎖・施錠時、上下の鉤部材４５、４６は受け金具７７の係止片７８に下側から係合する形態で、施錠装置は装着される
受け金具７７を取り付けた本体７５に対し、施錠装置を取り付けた前扉７６を閉じると、施錠装置の上下の鉤部材４５、４６の先端部が、受け金具７７の係止片７８に当接しながら下方に回動し、鉤部材４５、４６のフック凹部の先端が係止片７８を越えたところで、コイルばね５２の付勢力により水平位置に戻るように動作して、鉤部材４５、４６が係止片７８に係止され施錠状態となる。
【００４５】
一方、前扉を解錠する場合には、キーをシリンダ錠５８に差し込み右に回すと、同方向にカム板５９が回動し、連結杆４４に係合してそれをコイルばね５２の付勢力に抗して上方に摺動させ、上下の鉤部材４５、４６が下側に傾動し、受け金具７７の上下の係止片７８に対する係止が外れ、解錠される。
【００４６】
この前扉７６の解錠時、連結杆４４の上移動に伴い、図１４に示すように、上部と下部の押し開き部４４４，４４５の傾斜部４４６，４４７が各々本体７５側の係止片７８を押して、前扉７６を開放させるように動作し、前扉７６は本体７５から開かれる。したがって、スロットマシンのように、その前扉７８が重力により自然に閉じてしまう構造であっても、前扉７６が自動的に開放されるから、鉤部材４５，４６が再び施錠状態となることはなく、少し開いた前扉７６を手で持って容易に開くことができる。
【００４７】
すなわち、スロットマシンは、通常、本体７５の前面がその下部を前方に出し、その上部を背後に後退させるように傾斜して形成され、前扉７６を支持するヒンジの回動軸も同様に傾斜しているから、閉じた状態の前扉７６にはその重力が閉鎖方向に作用している。したがって、その施錠装置を解錠すると同時に前扉７６に開放側への力を付与する必要があるが、その開放力を連結杆４４に設けた押し開き部４４４，４４５により生じさせ、前扉７６を解錠時に自動的に開くことができる。
【００４８】
一方、この施錠装置では、キーを左に回すと、カム板５９がスイッチ作動杆５５に係合してそれを下方に摺動させ、非接触スイッチ７０をオフさせる。
【００４９】
なお、上記実施形態では、上下の鉤部材４５，４６を連結する連結杆４４に押し開き部４４４，４４５を設けたが、連結杆４４に代えて、鉤部材４５，４６に連結せずに係合して鉤部材４５，４６を解錠方向に傾動させる作動杆を使用し、その作動杆に押し開き部を設けることもできる。この場合、上下１対の鉤部材には各々コイルばねが施錠方向に付勢するように掛止され、作動杆は、カム板の回動に伴い解錠方向に移動したとき、鉤部材に係合して、上下の鉤部材を解錠方向に傾動させ、このとき、作動杆の押し開き部が本体側の係止片を押して前扉を開くように作用する。
【００５０】
【発明の効果】
以上説明したように、本発明のゲーム機の施錠装置によれば、ガラス枠または前扉の解錠時、前面枠兼ガラス枠解錠用作動杆または連結杆の移動に伴い、押し開き部の傾斜部がガラス枠または本体側の係止片を押して、ガラス枠または前扉を開放させるように動作し、ガラス枠は前面枠内から、前扉は本体側から開かれるから、その後、回していたシリンダ錠のキーの回動力を緩めても、ガラス枠または前扉は既に開いているから、鉤部材が再び施錠状態となることはなく、手で把持する部分がないガラス枠や前扉であっても、少し開いたガラス枠または前扉を手で持って容易に開くことができる。また、この前面枠兼ガラス枠解錠用作動杆または連結杆に設けた押し開き部は、傾斜部を有するだけの簡単な構造で構成することができる。
【図面の簡単な説明】
【図１】本発明の一実施例を示す施錠装置の正面図である。
【図２】その左側面図である。
【図３】その右側面図である。
【図４】その背面図である。
【図５】その拡大底面図である。
【図６】同施錠装置の分解右側面図である。
【図７】使用状態を示す右側面図である。
【図８】使用状態を示す左側面図である。
【図９】ガラス枠を解錠し押し開く際の作動説明図である。
【図１０】他の実施形態のゲーム機の施錠装置の右側面図である。
【図１１】その背面図である。
【図１２】その拡大平面図である。
【図１３】その分解右側面図である。
【図１４】前扉を解錠し押し開く際の作動説明図である。
【符号の説明】
１−基枠体
２−取付板
３−支持板
４、５−前面枠鉤部材
４ｂ、５ｂ−係合凸部
４ａ，５ａ−枢支ピン
６−前面枠兼ガラス枠解錠用作動杆
６４〜６７−係合部
７−シリンダ錠
８−カム板
１１、１２−ガラス枠鉤部材
１１ａ，１２ａ−枢支ピン
１１ｂ、１２ｂ−係合凸部
６６６、６６７−押し開き部
６６８、６６９−傾斜部
【図１】
2004232346.tif 000003
【図２】
2004232346.tif 000004
【図３】
2004232346.tif 000005
【図４】
2004232346.tif 000006
【図５】
2004232346.tif 000007
【図６】
2004232346.tif 000008
【図７】
2004232346.tif 000009
【図８】
2004232346.tif 000010
【図９】
2004232346.tif 000011
【図１０】
2004232346.tif 000012
【図１１】
2004232346.tif 000013
【図１２】
2004232346.tif 000014
【図１３】
2004232346.tif 000015
【図１４】
2004232346.tif 000016